(57)【要約】      （修正有）【課題】浴室内外に大掛かりな装置の設置を必要とせず、導入が容易で、ユーザが使用するシャワーヘッド等における浴室環境の変更を要求しない射水洗浄ノズルを提供する。【解決手段】取水口と、出水口と、取水口から出水口を連通する中空部を内部に備えた本体部３と、から構成され、出水口が、開口部と、開口部の開口率を調整して開口部から放出される水流の方向を調整するための射水部５を用いた水流方向調整手段と、を備え、本体部が、中空部と、中空部を通過する水量を調整するためのレバー７を有する水量調整手段を備える。【選択図】図１
0003210626.tif 000002
【実用新案登録請求の範囲】
【請求項１】
取水口と、
出水口と、
前記取水口から前記出水口を連通する中空部を内部に備えた本体部と、
から構成され、
前記出水口が、開口部と、前記開口部の開口率を調整して前記開口部から放出される水流の方向を調整するための水流方向調整手段と、を備え、
前記本体部が、中空部と、前記中空部を通過する水量を調整するための水量調整手段を備えること、
を特徴とする射水洗浄ノズル。
【請求項２】
前記取水口をシャワーヘッド取付口と接続するためのホース接続アダプタを備えること、
を特徴とする請求項１に記載の射水洗浄ノズル。
【請求項３】
前記ホース接続アダプタが、前記シャワーヘッド取付口の形状に応じた形状を有すること、
を特徴とする請求項２に記載の射水洗浄ノズル。
【考案の詳細な説明】
【技術分野】
【０００１】
本考案は、浴室等に備えられたシャワーホースに脱着可能で、更に、射水の方向や強度を洗浄位置に適するように調整可能な射水洗浄ノズルに関する。
【背景技術】
【０００２】
浴室は、人垢や水垢等で室壁、浴槽、排水口に汚れが付着するものであり、現状では大部分の世帯が洗浄剤及びスポンジ等を用いて人力で清掃を行っている。また、一部では浴室洗浄装置が提案され、当該浴室洗浄装置を浴室内に設置することで人力と比して簡便に浴室を洗浄することができるものも存在する（例えば特許文献１参照）。
【０００３】
また、あらかじめ備えられたシャワーホースを利用し、浴室内のスペースを侵さない省スペース型の浴室洗浄装置も存在し（例えば特許文献２参照）、徐々にユーザは浴室洗浄装置に対して選択肢の幅が広がってきている。
【先行技術文献】
【特許文献】
【０００４】
【特許文献１】特開２００２−２９５８９４号公報
【特許文献２】特開２０１６−０８６８４４号公報
【考案の概要】
【考案が解決しようとする課題】
【０００５】
しかしながら、上記特許文献１の浴室洗浄装置は、浴室内に所定の機器を別途配置する必要があり、浴室内に相応の設置スペースが必要となる。また、洗浄能力は高いが、大掛かりな機器から構成されるため、当該浴室洗浄装置の導入コスト及び設置が困難となり、導入障壁が非常に高い。  
【０００６】
また、上記特許文献２の浴室洗浄装置は、上記特許文献１の浴室洗浄装置のデメリットをある程度解決したものであるが、やはり高圧水を生成するためのポンプユニット等が必要となり、該ポンプユニットを浴室外に設置可能であるとしても導入するには大掛かりとなる。  
【０００７】
そこで、本考案は、従来の浴室洗浄装置とは異なり、小型でかつ簡便な構造を有し、導入が容易な射水洗浄装置を提供することを目的とする。
【課題を解決するための手段】
【０００８】
上記の課題を解決すべく、本考案は、
取水口と、
出水口と、
前記取水口から前記出水口を連通する中空部を内部に備えた本体部と、
から構成され、
前記出水口が、開口部と、前記開口部の開口率を調整して前記開口部から放出される水流の方向を調整するための水流方向調整手段を備え、
前記本体部が、中空部と、前記中空部を通過する水量を調整するための水量調整手段を備えること、
を特徴とする射水洗浄ノズルを提供する。
【０００９】
このような構成を有する本考案の射水洗浄ノズルは、取水口から内部に供給された水を出水口に移送可能な本体部を備え、更に、水流方向調整手段及び水量調整手段を備えていることから、小型でかつ簡便な構造を有し、使用者が洗浄位置に対して最適な水量、水圧、拡散状態に調節して射水することができ、別途浴室内外にポンプユニットを設置しなくとも洗浄能力を向上させることができる。
【００１０】
上記の本考案の射水洗浄ノズルは、前記取水口をシャワーヘッド取付口と接続するためのホース接続アダプタを備えることが望ましい。
【００１１】
また、上記の本考案の射水洗浄ノズルは、前記ホース接続アダプタが、前記シャワーヘッド取付口の形状に応じた形状を有することが望ましい。
【００１２】
このような構成を有する本考案の射水洗浄ノズルは、ホース接続アダプタを用いることにより、メーカ等により規格が異なるシャワーヘッド取付口の形状に対応して接続することができる。本考案では、サイズの異なる複数種のホース接続アダプタをあらかじめ用意し、使用者がシャワーヘッド取付口の形状に合わせて当該複数種のホース接続アダプタから合致するものを選択して使用することができる。これにより、ユーザは普段自身の趣向に合致したシャワーヘッドを用いることができる。
【考案の効果】
【００１３】
本考案によれば、従来の浴室洗浄装置とは異なり、小型でかつ簡便な構造を有し、導入が容易な射水洗浄装置を実現することができる。
【図面の簡単な説明】
【００１４】
【図１】本実施形態に係る射水洗浄ノズル１の概要を示す斜視図である。
【図２】図１に示す本体部３の構造を示す図であって、図２（ａ）は、本体部３の外観を示す側面図であり、図２（ｂ）は、本体部３の外観を示す正面図である。
【図３】図１に示す本体部３の内部構造を示す図であって、図３（ａ）は、図２（ｂ）に示す矢視Ａの断面図であって、図３（ｂ）は、水量調整具６５近傍の部分拡大図であり、図３（ｃ）は、図３（ｂ）に示す矢視Ｂの断面図である。
【図４】水流方向調整手段の構造を示す図であって、図４（ａ）は、水流方向調整手段となる射水部５の構造を示す側面図であって、図４（ｂ）は、水流方向調整手段となる射水部５の構造を示す断面図である。
【図５】脱着ジョイント９の構造を示す図であって、図５（ａ）は、脱着ジョイント９を構成する第一ジョイント９Ａ及び第二ジョイント９Ｂの構造を示す一部を断面視した側面図であって、図５（ｂ）は、第一ジョイント９Ａと、第二ジョイント９Ｂと、を接続した状態を示す一部を断面視した側面図である。
【図６】ホース接続アダプタ１１を説明する図であって、図６（ａ）は、ホース接続アダプタ１１の構造を示す一部を断面視した側面図であり、図６（ｂ）は、ホース接続アダプタ１１を第二ジョイント９Ｂと、ショワーヘッド取付口１３と、に接続した状態を示す一部を断面視した側面図である。
【図７】シャワーヘッド接続アダプタ５９の構造を示す図であって、図７（ａ）は、シャワーヘッド接続アダプタ５９の構造を示す一部を断面視した側面図であり、図７（ｂ）は、シャワーヘッド接続アダプタ５９と、シャワーヘッド５７と、の接続状態を示す模式図である。
【考案を実施するための形態】
【００１５】
以下、本考案に係る射水洗浄ノズル１の代表的な実施形態を、図面を参照しながら詳細に説明する。但し、本考案は図示されるものに限られるものではなく、各図面は本考案を概念的に説明するためのものであるから、理解容易のために必要に応じて寸法、比又は数を誇張又は簡略化して表している場合もある。更に、以下の説明では、同一又は相当部分には同一符号を付し、重複する説明は省略することもある。
【００１６】
＜射水洗浄ノズル１の概要＞
図１を用いて、本実施形態における射水洗浄ノズル１の概要を説明する。図１は、本実施形態に係る射水洗浄ノズル１の概要を示す斜視図である。
本実施形態の射水洗浄ノズル１は、例えば浴室内の浴槽、排水溝、壁床等に対して水を射水し、水圧及び水流によって汚れを取り除くノズルであって、あらかじめ浴室内に備えられているシャワーホース５１に対し、容易に脱着可能な構成を備えている。
【００１７】
図１に示すとおり、本実施形態の射水洗浄ノズル１は、概ねシャワーホース５１から供給された水を誘導する本体部３と、該本体部３から誘導された水を外部に射水する射水部５と、水量調整レバー７と、本体部３とシャワーホース５１とを連結する脱着ジョイント９及びホース接続アダプタ１１と、から構成されている。
【００１８】
＜本体部３の構造＞
次に、図２（ａ）及び（ｂ）を用いて本体部３の構造について詳細に説明する。図２（ａ）及び（ｂ）は、本体部３の構造を示す図であって、図２（ａ）は、本体部３の外観を示す側面図であり、図２（ｂ）は、本体部３の外観を示す正面図である。
【００１９】
図２（ａ）及び（ｂ）に示すとおり、本体部３は、略Ｌ字形状の部品であって、より具体的には、主要部としてヘッド部１５と、把持部１７と、から構成され、該ヘッド部１５及び把持部１７を樹脂等で一体的に形成している。また、ヘッド部１５の先端には、出水口５３が備わっており、該出水口５１に耐蝕性を備えた金属性の導水突起５Ｂが配設され、把持部１７の後端には、取水口５５が備わっており、該取水口５３に第一ジョイント９Ａが配設されている。また、ヘッド部１５の両側面には、中空層２１に連通するレバー用孔７１が配設され、双方は同軸となるよう対向している。
【００２０】
ヘッド部１５は、全体が略円筒状に形成されると共に、後方部は水量調整レバー７が定常位置に配置した際に意匠的に良好な納まりとなる様、当該水量調整レバー７の形状に概ね合致した形状となっている。また、把持部１７は、使用者が把持した際に握り手内部に沿う形状となっており、表面には凹凸等のパターン１９を設けて滑りを防止している。
なお、後述するが、上記ヘッド部１５及び把持部１７を一体的に構成した本体部３の内部には、導水するための中空層２１が備わっている。
【００２１】
次に、図３（ａ）（ｂ）（ｃ）を用いて本体部３の内部構造について詳細に説明する。図３（ａ）（ｂ）（ｃ）は、本体部３の内部構造を示す図であって、図３（ａ）は、図２（ｂ）に示す矢視Ａの断面図であって、図３（ｂ）は、水量調整具６５近傍の部分拡大図であり、図３（ｃ）は、図３（ｂ）に示す矢視Ｂの断面図である。
【００２２】
図３（ａ）に示すとおり、本体部３は内部に中空層２１を備えており、該中空層２１はヘッド部１５先端の出水口５３と、把持部１７後端の取水口５５と、を連通している。当該中空層２１は、所定の耐水圧を有した水の流路であって、ヘッド部１５内部に縮径部６３を備えている。
【００２３】
＜水量調整手段＞
中空層２１内には、ヘッド部１５内部に縮径部６３と、水量調整具６５と、から構成される水量調整手段を備えており、当該中空層２１内部を流れる水の導水量を調整することが可能である。
【００２４】
縮径部６３は、中空層２１の内径を限定的に小さくする部位であり、本実施形態の射水洗浄ノズル１では、ヘッド部１５の後方内部に配設されている。また、水量調整具６５は略球状で、中心から外側に伸びる２本の接続脚６７を有した部品であり、一部に切欠き６９（本実施形態では体積の略１／４程度）を有し、当該切欠き６９と、接続脚６７の中心と、は双方が直交する様に配置されている。
【００２５】
水量調整具６５は、中空層２１内部に挿入され、縮径部６３に当該水量調整具６５を当接させつつ２本の接続脚６７を２つのレバー用孔７１から外部に通して配設されている。外部に露出した２本の接続脚６７には水量調整レバー７が接続され、接続脚６７を介して水量調整具６５と、当該水量調整レバー７と、が連動して動作することが可能になっている。
【００２６】
水量調整具６５と、水量調整レバー７と、の連動により行われる水量調整について、その具体的な機構を説明すると、図３（ｂ）及び（ｃ）に示すとおり、縮径部６３に当接した略球状の水量調整具６５が、水量調整レバー７の動作によって回転し、切欠き６９により確保される中空層２１の開口率が変化することによって、中空層２１を流れる水量が変化し、水量調整が達成される。
【００２７】
本実施形態では、水量調整レバー７をヘッド部１５後方側に倒した状態で中空層２１の開口率が最も小さく、水量調整レバー７をヘッド部１５前方側に倒した状態で最も大きくなるように設定されている。ユーザは上記のような水量調整手段により、中空層２１を流れる水を所定の範囲で任意に水量調整することが可能となる。
【００２８】
＜水流方向調整手段＞
次に、図４（ａ）及び（ｂ）を用いて水流方向調整手段について詳細に説明する。図４（ａ）及び（ｂ）は、水流方向調整手段の構造を示す図であって、図４（ａ）は、水流方向調整手段となる射水部５の構造を示す側面図であって、図４（ｂ）は、射水部５の水流方向調整機構を示す断面図である。
【００２９】
水流方向調整手段は、射水部５を用いた水量調整手段であって、図４（ａ）に示すとおり、水量調整ダイヤル５Ａ及び導水突起５Ｂにより構成されている。導水突起５Ｂは、上述した様に本体部３のヘッド部１５先端に配設される部品であって、内部に導水路７３を備えた略円筒状の部品である。
【００３０】
より具体的には、先端に円盤状のフランジ７５と、該フランジ７５の中心を下方から支える支持部７９と、側面上方に配設され導水路７３と外部と連通する２つの導水孔８１と、側面略中間位置において襟状に配設された襟状突起７９と、を備えて構成されている。更に、下方には水量調整ダイヤル５Ａと螺子嵌合するための螺子山が設けられている。
【００３１】
また、水量調整ダイヤル５Ａは、上記導水突起５Ｂと嵌合する部品であって、内部に嵌合孔８１を備えた略傘状の部品である。より具体的には先端に射水口２３と、嵌合孔８３側面の略上方から中間位置の範囲において設けられた摺動溝８５と、を備えて構成されている。また、嵌合孔８３の下方には導水突起５Ｂと螺子嵌合するための螺子山が設けられている。
【００３２】
水量調整ダイヤル５Ａと、導水突起５Ｂと、を嵌合させることにより、水流方向調整手段が構成される。具体的には、導水突起５Ｂの先端に水量調整ダイヤル５Ａの嵌合孔８３を被せ、襟状突起７９が摺動溝８５内に入り込むまで押圧した後、双方の螺子山を螺子嵌合させている。なお、双方の螺子嵌合は完全に固定するものではなく、導水突起５Ｂを軸にして水量調整ダイヤル５Ａが所定の範囲で回転可能とするための構成である。
【００３３】
水量調整ダイヤル５Ａと、導水突起５Ｂと、の嵌合状態を変更することにより行われる水量及び水流方向の調整は、その具体的な機構を説明すると、図４（ｂ）に示すとおり、導水突起５Ｂを軸にして水量調整ダイヤル５Ａを回転させ、当該水量調整ダイヤル５Ａの位置を変更することにより行われる。
【００３４】
水量調整ダイヤル５Ａは、回転することにより螺子嵌合の状態が変化し、導水突起５Ｂの軸方向に移動することができる。水量調整ダイヤル５Ａの移動可能範囲は、摺動溝８５内で襟状突起７９が移動可能な範囲であり、当該範囲内であれば水量調整ダイヤル５Ａと、導水突起５Ｂと、の嵌合が解除されない構造となっている。
【００３５】
水量調整ダイヤル５Ａが移動することにより、導水突起５Ｂの上方（フランジ７５及び支持部７７）と、水量調整ダイヤル５Ａの射水口２３と、の位置関係を任意に変更することができ、当該射水口２３の開口率を変化させることができる。これにより、導水突起５Ｂの導水路７３から導水孔８１を通過した水は、摺動溝８５を通って射水口２３に移送され、射水口２３の開口率に従って外部に射水される。また、フランジ７５と射水口２３との位置関係が変化することにより、隙間を通過する水の角度が変更されるため、水流方向も同時に変化させることができる。
【００３６】
＜脱着ジョイント９の構造＞
次に、図５（ａ）及（ｂ）を用いて脱着ジョイント９の構造について詳細に説明する。図５（ａ）及び（ｂ）は、脱着ジョイント９の構造を示す図であって、図５（ａ）は、脱着ジョイント９を構成する第一ジョイント９Ａ及び第二ジョイント９Ｂの構造を示す一部を断面視した側面図であって、図５（ｂ）は、第一ジョイント９Ａと、第二ジョイント９Ｂと、を接続した状態を示す一部を断面視した側面図である。
【００３７】
図５（ａ）に示すとおり、本実施形態で用いられる脱着ジョイント９は、第一ジョイント９Ａと、第二ジョイント９Ｂと、から構成されており、第一ジョイント９Ａがオス、第二ジョイント９Ｂがメス、となって双方が脱着可能に接続される。
【００３８】
第一ジョイント９Ａは、長さ方向の位置で外径及び内径が多段に変化する筒状の部品であって、本体部３の把持部１７後端に配設され、中空層２１と連通している。形状について、より具体的には、本体部３と接続される胴部２５と、先端に位置する頭部２９と、当該胴部２５と頭部２９との中間に位置する首部２７と、から構成され、それぞれの外径が異なっている。胴部２５は本体部３と接続されて剛性を必要とするため最も太く、頭部２９及び首部２７は胴部２５と比して細いが、首部２７は頭部２９と比して更に細く形成されている。
【００３９】
第二ジョイント９Ｂは、複数のパーツで構成された部品であって、本実施形態では、概ね外筒３１と、内筒３３と、ボール３５と、から構成されている。外筒３１及び内筒３３は、双方とも略円筒状で、内筒３３は外筒３１の内部に挿入されており、内筒３３の外径は、外筒３１の内径に対して所定のクリアランスを備えている。また、内筒３３は側面に複数の孔４１を備え、当該孔４１それぞれに金属性のボール３５が挿入されている。更に、後端側には後述するホース接続アダプタ１１と嵌合するため、側面外側に螺子山を有する接続部３７が備わっている。
【００４０】
孔４１は、内筒３３の側面を貫通したものであるが、接続孔３９側に面する開口径はボール３５と比して小さく、外筒３１側に徐々に広がる形状となっているため、ボール３５は接続孔３９側に一部を露出するが完全に移動せず、孔４１内で留まる。また、外筒３１側は該外筒３１の内壁が配置されているため、ボール３５を接続孔３９側に押圧しつつ固定されている。よって、通常状態ではボール３５が接続孔３９側に一部を露出した状態で固定された状態となる。
【００４１】
外筒３１と、内筒３３と、は、図５（ａ）に示すＹ方向に対して所定の範囲で摺動可能な構造を備えている。より具体的には、外筒３１を第一ジョイント９Ａとは反対方向に所定の範囲でスライドすることができ、外筒３１と、内筒３３と、の相互配置を変更可能である。
【００４２】
外筒３１と、内筒３３と、の通常の相互配置は、第一ジョイント９Ａ側の端面を揃えた状態であり、変更後の相互配置は、ボール３５が外部側に脱落しない程度に外筒３１が第一ジョイント９Ａとは反対方向にスライド可能であることが好ましい。
【００４３】
外筒３１のスライド範囲として、より具体的には、ボール３５を接続孔３９側に対して露出のない状態となるまで、孔４１内で図５（ａ）に示すＸ方向の外部側に移動させつつ、完全に当該ボール３５の支持を無くさない程度の範囲まで、とすることが望ましい。これにより、外筒３１のＹ方向の位置を変更することにより、ボール３５のＸ方向の位置が連動して変化させることができる。
【００４４】
図示していないが、外筒３１と、内筒３３と、は通常の相互配置状態で固定するロック機構等を備えてもよい。
また、双方の摺動は、別途バネ等を備えて通常の相互配置から変更後の相互配置に変更する際のみスライドに力に要し、変更後の相互配置から通常の相互配置に戻す際は当該バネの応力を用いて自動化してもよい。
【００４５】
次に、図５（ｂ）を用いて第一ジョイント９Ａと、第二ジョイント９Ｂと、の接続について詳細に説明する。まず、第一ジョイント９Ａ及び第二ジョイント９Ｂ双方の軸を合わせつつ、第二ジョイント９Ｂの外筒３１をスライドし、ボール３５を外部側に移動させる。次に、第一ジョイント９Ａの先端側に位置する頭部２９を第二ジョイント９Ｂの接続孔３９内に挿入し、位置決め面４３が第二ジョイント９Ｂの先端に当接するまで押圧する。上記状態を維持しつつ外筒３１をスライドして該外筒３１と、内筒３３と、を通常の相互配置に戻し、ボール３５を移動させて一部を接続孔３９側に露出させる。
【００４６】
これにより、第一ジョイント９Ａの首部２７及び頭部２９が第二ジョイント９Ｂの接続孔３９内に完全に納まり、接続孔３９内に露出したボール３５の一部が首部２７に入り込んで頭部２９を固定する。なお、第一ジョイント９Ａと、第二ジョイント９Ｂと、の接続解除は、外筒３１を再度スライドすることによりボール３５を外部側に移動し、頭部２９の固定を開放することにより双方の接続解除が可能となる。
【００４７】
＜ホース接続アダプタ１１の構造＞
次に、図６（ａ）及び（ｂ）を用いてホース接続アダプタ１１について詳細に説明する。図６（ａ）及び（ｂ）は、ホース接続アダプタ１１を説明する図であって、図６（ａ）は、ホース接続アダプタ１１の構造を示す一部を断面視した側面図であり、図６（ｂ）は、ホース接続アダプタ１１を第二ジョイント９Ｂと、ショワーヘッド取付口１３と、に接続した状態を示す一部を断面視した側面図である。
【００４８】
当該ホース接続アダプタ１１は、シャワーヘッド取付口１３と接続するための部品であるが、シャワーヘッド取付口１３の形状はメーカ等によりサイズの規格が異なるため、本実施形態では、サイズの異なる複数種のホース接続アダプタ１１をあらかじめ用意し、使用者がシャワーヘッド取付口１３の形状に合わせて当該複数種のホース接続アダプタ１１から合致するものを選択して使用できる態様となっている。
【００４９】
なお、シャワーヘッド取付口１３は、あらかじめ浴室等に備えられた先端にシャワーヘッド５７を具備するホースの先端部品であって、シャワーヘッド５７を取り外すことにより露出させることができるものである。
【００５０】
図６（ａ）に示すとおり、ホース接続アダプタ１１は、略円筒状の部品であって、先端部には第二ジョイント９Ｂを接続するためのジョイント接続孔４９を備え、後端部にはシャワーヘッド取付口１３を接続するための接続端４５を備えている。また、当該接続端４５の付根には漏水防止用のパッキン４７が配設されている。
【００５１】
ジョイント接続孔４９は、第二ジョイント９Ｂの接続部３７と螺子嵌合するための螺子山を内壁側面に具備し、接続端４５は、シャワーヘッド取付口１３と螺子嵌合するための螺子山を外壁側面に具備している。
【００５２】
また、図６（ｂ）に示すとおり、ホース接続アダプタ１１は、第二ジョイント９Ｂと、シャワーヘッド取付口１３と、の中間に位置し、第二ジョイント９Ｂとシャワーヘッド取付口１３とを当該ホース接続アダプタ１１を介して接続している。
【００５３】
第二ジョイント９Ｂとの接続は、ホース接続アダプタ１１のジョイント接続孔４９を用い、当該ジョイント接続孔４９内部に第二ジョイント９Ｂの接続部３７を挿入しつつ、双方を螺子嵌合している。また、シャワーヘッド取付口１３との接続は、ホース接続アダプタ１１の接続端４５を用い、シャワーヘッド取付口１３内部に当該接続端４５を挿入しつつ、双方を螺子嵌合している。
【００５４】
＜シャワーヘッド接続アダプタ５９の構造＞
続いて、図７（ａ）及び（ｂ）を用いてシャワーヘッド接続アダプタ５９の構造について詳細に説明する。図７（ａ）及び（ｂ）は、シャワーヘッド接続アダプタ５９の構造を示す図であって、図７（ａ）は、シャワーヘッド接続アダプタ５９の構造を示す一部を断面視した側面図であって、図７（ｂ）は、シャワーヘッド接続アダプタ５９と、シャワーヘッド５７と、の接続状態を示す模式図である。
【００５５】
シャワーヘッド接続アダプタ５９は、シャワーヘッド５７に接続し、シャワーホース５１に接続した第二ジョイント９Ｂと、シャワーヘッド５７と、を容易に着脱を可能とする部品である。なお、当該シャワーヘッド接続アダプタ５９は、シャワーヘッド５７と接続するための部品であるが、シャワーヘッド５７の後端部の形状はメーカ等によりサイズの規格が異なるため、本実施形態では、サイズの異なる複数種のシャワーヘッド接続アダプタ５９をあらかじめ用意し、使用者がシャワーヘッド５７の後端部の形状に合わせて当該複数種のシャワーヘッド接続アダプタ５９から合致するものを選択して使用できる態様となっている。
【００５６】
図７（ａ）に示すとおり、シャワーヘッド接続アダプタ５９は略円筒状の部品であって、先端部にはシャワーヘッド５７を接続するためのヘッド接続孔６１を備え、後端部には第二ジョイント９Ｂと接続するため、第一ジョイント９Ａと同形状の首部１２７及び頭部１２９を備えている。
【００５７】
ヘッド接続孔６１は、シャワーヘッド５７の後端部と螺子嵌合するための螺子山を内壁側面に具備し、シャワーヘッド５７を固定することができる。図７（ｂ）に示すとおり、シャワーヘッド５７と、シャワーヘッド接続アダプタ５９と、の接続は、シャワーヘッド接続アダプタ５９のヘッド接続孔６１内にシャワーヘッド５７の後端部を挿入し、双方を所定の方向に回転させて螺子嵌合することにより達成される。
【００５８】
また、上述のとおりシャワーヘッド接続アダプタ５９は、下方が第一ジョイント９Ａと略同様の形状となる首部１２７及び頭部１２９を備えていることから、第一ジョイント９Ａと、第二ジョイント９Ｂと、の接続方法と同様の手順により、シャワーヘッド接続アダプタ５９と、第二ジョイント９Ｂと、を接続することができる。
【００５９】
これにより、ユーザは、浴室内の洗浄時のみシャワーヘッド５７と、本実施形態の射水洗浄ノズル１と、を容易に交換して使用することができ、普段の入浴及びシャワー時に、特別なシャワーヘッドではなく、自身の趣向に応じて選択したシャワーヘッド５７を使用することができる。
【００６０】
なお、上述では具体的に記載していないが、各部品の嵌合には必要に応じて樹脂等で形成されたパッキンを挿入して漏水対策を行うことが好ましい。
【００６１】
＜射水洗浄ノズル１の使用方法＞
次に、本実施形態における射水洗浄ノズル１使用方法について説明する。まず、使用者は、あらかじめ浴室等に備えられた先端にシャワーヘッド５７を具備するホースから、当該シャワーヘッド５７を取り外す。例外も存在するが、概ねシャワーヘッド５７はシャワーヘッド取付口１３と螺子嵌合されており、所定の方向に双方を回転することによりシャワーヘッド５７と、シャワーヘッド取付口１３と、を分離させることができる。
【００６２】
続いて、シャワーヘッド取付口１３と、ホース接続アダプタ１１と、を同軸にしつつ、シャワーヘッド取付口１３内に接続端４５を挿入し、双方を所定の方向に回転させて螺子嵌合させる。更に、ホース接続アダプタ１１と、第二ジョイント９Ｂと、を同軸にしつつ、ホース接続アダプタ１１のジョイント接続孔４９内に第二ジョイント９Ｂの接続部３７を挿入し、双方を所定の方向に回転させて螺子嵌合させる。
【００６３】
次に、使用者は本体部３の把持部１７の後端部を下方に向けつつ、第二ジョイント９Ｂの外筒３１を下方にスライドさせ、ボール３５が外部側に移動したことを確認した後、第一ジョイント９Ａの頭部２９を第二ジョイント９Ｂの接続孔３９内に挿入する。
【００６４】
このように挿入した状態のまま、第一ジョイント９Ａの位置決め面４３が第二ジョイント９Ｂの先端側の端部に当接するまで、第一ジョイント９Ａを第二ジョイント９Ｂ側に押圧し、当該当接を完了した後に外筒３１をスライドさせて通常状態に戻して第一ジョイント９Ａと、第二ジョイント９Ｂと、固定させる。なお、外筒３１のロック機構等を備えている場合は、上記手順の後にロック操作を行う。
【００６５】
続いて、使用者は本体部３の把持部１７を把持し、射水口２３を所望の洗浄位置に向けつつ蛇口を開栓してシャワーホース５１内に水を供給する。シャワーホース５１に侵入した水は蛇口からの水圧に応じて徐々に本実施形態の射水洗浄ノズル１側に移送され、射水口２３を介して外部に射水される。
【００６６】
使用者は、蛇口の水圧を考慮しつつ、水流方向調整手段と、水量調整手段と、を操作して射水を所望の水量と、水圧と、拡散状態と、に調整することができる。具体的には射水部５の水量調整ダイヤルを回転させて水流方向調整手段を操作することにより、水量と、水流方向と、を調整し、水量調整レバー７を倒して水量調整手段を操作することにより、水量を調整することができる。
【００６７】
上記水流方向調整手段と、水量調整手段と、の調整具合を組み合わせることにより、使用者は射水状態をより所望の洗浄場所に適した調整を行うことが可能となる。
【００６８】
以上、本考案の実施形態について図面を参照しつつ説明してきたが、本考案は、これらの実施形態に限定されるものではなく、実用新案請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【産業上の利用可能性】
【００６９】
本考案の海綿骨硬度測定器１は、浴室内外に大掛かりな装置の設置を必要とせず、導入が容易で、ユーザが使用するシャワーヘッド等における浴室環境の変更を要求しない浴室洗浄装置である。
【符号の説明】
【００７０】
１      射水洗浄ノズル
３      本体部
５      射水部
５Ａ    水量調整ダイヤル
５Ｂ    導水突起
７      水量調整レバー
９      脱着ジョイント
９Ａ    第一ジョイント
９Ｂ    第二ジョイント
１１    ホース接続アダプタ
１３    シャワーヘッド取付口
１５    ヘッド部
１７    把持部
１９    パターン
２１    中空層
２３    射水口
２５    胴部
２７    首部
２９    頭部
３１    外筒
３３    内筒
３５    ボール
３７    接続部
３９    接続孔
４１    孔
４３    位置決め面
４５    接続端
４７    パッキン
４９    ジョイント接続孔
５１    シャワーホース
５３    出水口
５５    取水口
５７    シャワーヘッド
５９    シャワーヘッド接続アダプタ
６１    ヘッド接続孔
６３    縮径部
６５    水量調整具
６７    接続脚
６９    切欠き
７１    レバー用孔
７３    導水路
７５    フランジ
７７    支持部
７９    襟状突起
８１    導水孔
８３    嵌合孔
８５    摺動溝
１２７  首部
１２９  頭部
【図１】
0003210626.tif 000003
【図２】
0003210626.tif 000004
【図３】
0003210626.tif 000005
【図４】
0003210626.tif 000006
【図５】
0003210626.tif 000007
【図６】
0003210626.tif 000008
【図７】
0003210626.tif 000009